(57)【要約】【課題】タービン建屋の復水器及び配管施工時に関し、復水器、配管据付け側の手待ち等を解消し、大型揚重機や建物側揚重機のほか建屋外の地組作業用揚重設備を設置する必要もなくし、復水器及び配管等の据付作業手間を低減することができるようにする。【解決手段】鋼板コンクリート構造のタービンペデスタル柱２を適用する原子力発電プラントのタービン建屋１の建設に際し、タービンペデスタル柱２によって囲まれる復水器エリア３及び高圧タービン下エリア４に復水器部品、配管又はそれらの付属物を搬入及び設置するための揚重設備であって、タービンペデスタル柱２の鋼板を支持部として平行なレール１５を仮設し、このレールに復水器部品、配管又はそれらの付属物を移動する仮設揚重機１６を搭載する。【選択図】  図６
2006308453.tif 000002
【特許請求の範囲】
【請求項１】
鋼板コンクリート構造のタービンペデスタル柱を適用する原子力発電プラントのタービン建屋建設に際し、前記タービンペデスタル柱によって囲まれる復水器エリア及び高圧タービン下エリアに復水器部品、配管又はそれらの付属物を搬入及び設置するための揚重設備であって、前記タービンペデスタル柱の鋼板を支持部として平行なレールを仮設し、このレールに前記復水器部品、前記配管又はそれらの付属物を移動する仮設揚重機を搭載したことを特徴とする復水器及び配管施工用仮設揚重設備。
【請求項２】
前記レールは、前記タービンペデスタル柱における前記復水器エリア又は前記高圧タービン下エリア側に向く面と反対側の面に配置された鋼板に設けられている請求項１記載の復水器及び配管施工用仮設揚重設備。
【請求項３】
前記仮設揚重機は、前記平行なレール間に架設され当該レールに沿って移動可能な支持アームと、この支持アームにその長さ方向に移動可能に設けられた揚重機部材とを備え、前記支持アームの長さが調整可能とされている請求項１記載の復水器及び配管施工用仮設揚重設備。
【請求項４】
前記仮設揚重機は前記レールに着脱可能に搭載され、他の大型揚重機により前記レールから一括取外し可能とされている請求項１記載の復水器及び配管施工用仮設揚重設備。
【請求項５】
前記仮設揚重機の上方に、前記レールを支持部とする移動可能な仮設屋根が設けられている請求項１記載の復水器及び配管施工用仮設揚重設備。
【請求項６】
前記レールは、前記タービンペデスタル柱自身の建築工事における倒れ防止用仮設梁として構成したものである請求項１記載の復水器及び配管施工用仮設揚重設備。
【発明の詳細な説明】
【技術分野】
【０００１】
本発明は、原子力発電プラントのタービン建屋建設時に仮設され、復水器部品、配管又はそれらの付属物の搬入、設置等に供される復水器及び配管施工用仮設揚重設備に関する。
【背景技術】
【０００２】
近年、原子力発電プラントにおけるタービン建屋のタービンペデスタル柱に対し、鋼板コンクリート構造（ＳＣ構造）を適用することが行われている。このようなタービンペデスタル柱は、その表面が鋼板で構成され、その鋼板の内部にコンクリートが充填された構造となっている。
【０００３】
このようなＳＣ構造適用プラントのタービン建屋の建設時には、まず建築工事として、タービンペデスタル柱の組立及びコンクリート充填が行われる。この後、機電工事として、復水器エリアに復水器が搬入され、高圧タービン下エリアへの配管の搬入等が行われる。その後、建築工事として、タービンペデスタル上部梁部分の組立及びコンクリートの充填等が行われ、さらにその後、機電工事として復水器の内部構造物据付け、高圧タービン下エリアの配管据付け等が行われる。
【０００４】
このように、原子力発電プラントのタービン建屋建設時においては、建屋自体を構築する建築工事と、建屋構築後に機器の搬入設置等を行う機電工事とに区分されて工事が進行する。
【０００５】
ところで、機電工事の際には、建築工事で使用された揚重設備を利用して復水器、配管、付属設備等の据付けを行うのが一般的である。この場合、建築工事の際に建物建設に使用された揚重設備を、機電工事において借用することで利用しており、復水器及び配管据付け等の作業に際しては当該揚重設備の借用調整及び手待ち等が発生していた。
【０００６】
なお、原子力発電プラントのタービン建屋への復水器据付けに関する従来の文献公知技術として、復水器本体を構成するホットウエル、下部胴部位、上部胴部位及びこれら復水器各部位の内部に設置される機器、配管、配管付属部品を一体化した復水器大ブロックを、タービンペデスタル柱の完成後に、大型揚重機を用いて現地設定場所に直接搬入する方法が提案されている（例えば、特許文献１参照）。
【特許文献１】特許第２８７３１３９号公報
【発明の開示】
【発明が解決しようとする課題】
【０００７】
上述の公知技術においては、ヤードに仮置きした復水器大ブロックを大型揚重機のブームが移動することによりタービン建屋内の所定の位置（タービンペデスタル柱間）まで移動し、タービン建屋基礎マット上部にある復水器基礎に吊り降ろすようにしている。
【０００８】
この場合、復水器大ブロックの搬入については、タービンペデスタル柱の躯体完成後に実施されるが、その大ブロック搬入後においても細かな内部構造物及び据付作業において、揚重設備を利用し据付作業を行っていた。
【０００９】
したがって、このような技術においても、建築工事の際に建物建設に使用された揚重設備を機電工事において利用しており、復水器及び配管据付け等の作業に際しては当該揚重設備の借用調整及び手待ち等が発生する状況は依然として残っていた。
【００１０】
また、大型揚重機及び建物側の揚重機を使用する場合、特に大型揚重機を適用する場合には、稼動速度が遅く、細かな移動に対する融通性が低い。また、大型揚重機、建物側揚重機については、基本的に共有設備であり、復水器及び配管等を設置する機電工事側において手待ち等が発生する。さらに、大型揚重機、建物側揚重機のほかに、建屋外でも細かな配管、機器の地組作業が必要であり、上記の揚重機とは別の揚重設備を設置して対応が行われていた。
【００１１】
このように、従来では原子力発電所全体において揚重設備の借用調整、手待ち等が復水器及び配管据付作業に大きく作用される問題点が生じ、復水器及び配管据付作業手間をできるだけ低減することが望まれていた。
【００１２】
本発明は、以上の事情に鑑みてなされたものであり、復水器、配管据付け側の手待ち等を解消し、大型揚重機や建物側揚重機のほか建屋外の地組作業用揚重設備を設置する必要もなくし、復水器及び配管等の据付作業手間を低減することができる復水器及び配管施工用仮設揚重設備を提供することを目的とする。
【課題を解決するための手段】
【００１３】
前記の目的を達成するため、請求項１に係る発明では、鋼板コンクリート構造のタービンペデスタル柱を適用する原子力発電プラントのタービン建屋建設に際し、前記タービンペデスタル柱によって囲まれる復水器エリア及び高圧タービン下エリアに復水器部品、配管又はそれらの付属物を搬入及び設置するための揚重設備であって、前記タービンペデスタル柱の鋼板を支持部として平行なレールを仮設し、このレールに前記復水器部品、前記配管又はそれらの付属物を移動する仮設揚重機を搭載したことを特徴とする復水器及び配管施工用仮設揚重設備を提供する。
【００１４】
請求項２に係る発明では、前記レールが、前記タービンペデスタル柱における前記復水器エリア又は前記高圧タービン下エリア側に向く面と反対側の面に配置された鋼板に設けられている復水器及び配管施工用仮設揚重設備を提供する。
【００１５】
請求項３に係る発明では、前記仮設揚重機が、前記平行なレール間に架設され当該レールに沿って移動可能な支持アームと、この支持アームにその長さ方向に移動可能に設けられた揚重機部材とを備え、前記支持アームの長さが調整可能とされている復水器及び配管施工用仮設揚重設備を提供する。
【００１６】
請求項４に係る発明では、前記仮設揚重機が前記レールに着脱可能に搭載され、他の大型揚重機により前記レールから一括取外し可能とされている復水器及び配管施工用仮設揚重設備を提供する。
【００１７】
請求項５に係る発明では、前記仮設揚重機の上方に、前記レールを支持部とする移動可能な仮設屋根が設けられている復水器及び配管施工用仮設揚重設備を提供する。
【００１８】
請求項６に係る発明では、前記レールが、前記タービンペデスタル柱自身の建築工事における倒れ防止用仮設梁として構成したものである復水器及び配管施工用仮設揚重設備を提供する。
【発明の効果】
【００１９】
本発明によれば、ＳＣ構造のタービンペデスタル柱の鋼板表面にレールを設け、このレールに搭載した仮設揚重機を復水器及び配管据付け側で独自に利用できるようにしたことにより、復水器の搬入と同時に配管据付け作業等を行うことができ、決められた工期に遅延なく、しかも効率よく据付・芯出し等を完了することができる。したがって、復水器及び配管据付け側の手待ち等を解消することができるとともに、大型揚重機や建物側揚重機のほか、建屋外の地組作業用揚重設備を設置する必要もなく、復水器及び配管等の据付作業手間を低減することができる。
【発明を実施するための最良の形態】
【００２０】
以下、本発明に係る復水器及び配管施工用仮設揚重設備の一実施形態について、図面を参照して説明する。
【００２１】
まず、図１及び図２によって本発明が適用されるタービン建屋における復水器エリア及び高圧タービン下エリアの配置構成等について説明する。図１は、沸騰水型原子力発電プラントのタービン建屋構造を示す平面図であり、図２は、同側面図（図１のＡ−Ａ矢視図）である。
【００２２】
図１及び図２に示すように、タービン建屋１の略中央位置に、複数のタービンペデスタル柱２によって囲まれる復水器エリア３及び高圧タービン下エリア４が隣接して設けられている。復水器エリア３には、例えば３体の復水器５及びその付属物が配置され、復水器５の上方には低圧タービン６が設置される。高圧タービン下エリア４には、複数の配管７が配置され、その上方には図示省略の高圧タービンが設置される。各タービンペデスタル柱２には鋼板コンクリート構造（ＳＣ構造）が適用され、これらのタービンペデスタル柱２はコンクリート躯体の表面が鋼板（ＳＣ鋼板）によって被覆された構成となっている。
【００２３】
本実施形態の復水器及び配管施工用仮設揚重設備は、このようなタービン建屋１の建設時において、タービンペデスタル柱２部分の間の復水器エリア３に各復水器５の部品を搬入設置する工程、あるいはタービンペデスタル柱２部分の間の高圧タービン下エリア４に配管６及び付属物を搬入設置する工程等において適用される。
【００２４】
次に、図３〜図１０を参照して、本実施形態による復水器及び配管施工用仮設揚重設備１１（以下、「仮設揚重設備１１」と略称する。）の構成および作用を説明する。
【００２５】
図３は、本実施形態による仮設揚重設備１１の全体構成を示す平面図であり、図４は同側面図（図３のＢ矢視図）である。
【００２６】
図３及び図４に示すように、タービンペデスタル柱２はタービン建屋マット１２上に、例えば並列配置（２列配置）で複数体（６体）ずつ、所定の間隔をあけて対向する位置に設置されている。なお、互いに対向するタービンペデスタル柱２の中間高さ部位間には、中間梁１３が架設されている。また、タービン建屋マット１２上には、復水器を固定支持するための復水器基礎１４が設けられている。
【００２７】
本実施形態の仮設揚重設備１１は、このようなタービンペデスタル柱２の上端部のＳＣ鋼板外側面に水平に設けられた平行な１対のレール１５と、これらのレール１５に搭載された仮設揚重機１６とを備えた構成となっている。
【００２８】
各レール１５は、タービンペデスタル柱２に対し、復水器エリア３又は高圧タービン下エリア４側に向く面と反対側の面（外側面）にそれぞれ配置されている。そして、各レール１５の長さは、例えば復水器エリア３から高圧タービン下エリア４までに亘る長さに設定されており、これにより、復水器エリア３への復水器５の据付け及び高圧タービン下エリア４への配管７の据付けに利用できる長さとされている。
【００２９】
仮設揚重機１６は、各レール１５間にこれらと直交する配置で架設される支持アーム１７と、この支持アーム１７の両端に設けられレール１５を軌道として走行する車輪及び駆動機構等からなる走行部１８と、支持アーム１７の長さ方向に沿って移動可能に設けられた移動式ホイスト等の揚重機部材１９とを備えている。揚重機部材１９は、支持アーム１７上で移動するための移動機構２０と、この移動機構２０に設けられた吊下げワイヤ２１、フック２２および図示省略のウインチ等により構成されている。
【００３０】
図５〜図８は、図３及び図４に示した仮設揚重設備１１をさらに詳細に示している。
【００３１】
図５は、図４に示した仮設揚重設備１１の側面図（図４のＣ矢視図）であり、タービンペデスタル柱２に対するレール１５の取付け構造を示している。上述したように、タービンペデスタル柱２は鋼板コンクリート構造（ＳＣ構造）であり、コンクリート躯体２ａと、その表面を被覆するＳＣ鋼板２ｂとによって構成される。なお、仮設揚重設備１１の据付の際には、ＳＣ鋼板２ｂの内側は空状態であり、躯体コンクリートの充填は、仮設揚重設備１１の据付後に行われる。各レール１５は、例えば所定の横幅を有する水平梁２３と、この水平梁２３の幅方向中央位置に立設したレール本体２４と、このレール本体２４を水平梁２３上に固定する固定部材２５とによって構成されている。そして、水平梁２３の幅方向一側縁がタービンペデスタル柱２のＳＣ鋼板２ｂの表面に溶接等によって接合固定され、レール本体２４の上端縁は、例えばタービンペデスタル柱２の上方に突出する高さに設定されている。
【００３２】
本実施形態では、このように各レール１５がタービンペデスタル柱２の外側に当接して溶接等によって固定されている。したがって、各タービンペデスタル柱２は相互に他のタービンペデスタル柱２の傾れ荷重を補完できる機能を持ち、これにより各レール１５は、タービンペデスタル柱２の倒れ防止機能を備えた構成となっている。そこで、本実施形態においては、タービンペデスタル柱２自身の建築工事において、レール１５がタービンペデスタル柱２の倒れ防止用仮設梁として予め構成され、タービン建屋建設の初期段階の工程であるタービンペデスタル柱２の据付時において予め設けられる。これにより、レール１５は、仮設揚重機１６を走行可能に支持する支持機能とともに、建築工事におけるタービンペデスタル柱２の倒れ防止用仮設梁としての両機能を備えた構成とされている。
【００３３】
図６は、更に仮設揚重機１６をレール１５に搭載した構成を詳細に示している。レール１５間に架設される仮設揚重機１６の支持アーム１７は、水平なアーム本体部１７ａと、このアーム本体部１７ａの両端部からそれぞれ垂下した１対の脚部２６と、これら脚部２６の下端から水平に外側に向って連設されたレール搭載部２７とを備えている。なお、脚部２６は、図示しないが、下方に向って幅広となるように傾斜する構成としてもよい。レール搭載部２７には、例えばレール本体２４上方に着脱可能に搭載される断面二股状の車輪又は摺動部材等の移動部２８が設けられている。
【００３４】
また、支持アーム１７には、その長さ調整を可能とする摺動機構等からなる長さ調整部２９が設けられている。この長さ調整部２９を用いてスパン調整を行なうことにより、本実施形態の仮設揚重設備１１は、タービンペデスタル柱２の間隔が異なる場合に対しても、種々対応して仮設することができる。
【００３５】
図７は、図６の状態から、仮設揚重機１６を支持アーム１７に沿って復水器エリア３の外側方向に移動した状態を示している。この移動により、後述する復水器導入等の際に、仮設揚重機１６を復水器エリア３から外れる部位に退去させ、復水器導入時の干渉等を防止することができる。
【００３６】
図８は、仮設屋根３０を備えた仮設揚重設備１１の構成図である。昨今の原子力発電プラントにおいては、寒冷地等での建設が予定、実施等されており、このような寒冷地等においては雨水、雪等への対策が必須となる。そこで、本実施形態では、図８に示すように、上記構成に加えて、仮設屋根３０が装備されている。
【００３７】
この仮設屋根３０は、例えば仮設揚重機１６を外側から覆うことができる大きさの三角屋根構造とされている。この仮設屋根３０の両端部に設けられた脚部３１が、タービンペデスタル柱２に支持されたレール１５の外側縁部位置に支持部３２を介して走行可能に支持されている。なお、レール１５は、仮設揚重設備とともに仮設屋根３０を搭載するために、所定の幅広な構成となっており、各レール１５にレール本体が２本ずつ設けられている。なお、仮設屋根３０のレール１５への支持構成は、上述した仮設揚重機支持構造と略同様である。この構成により、仮設屋根３０はレール１５に沿って移動することができる。
【００３８】
また、仮設屋根３０は、例えば中央部を中心として折り畳む等、開閉可能な構成とされており、別途タービンペデスタル内に搬入物が生じたような場合に、大型揚重機を用いて屋外からの搬出入が容易に行えるようになっている。
【００３９】
このように、本実施形態では仮設揚重機１６を搭載するレール１５の外側位置に、養生対策用の仮設屋根用のレール１５を２段構造として取付けることにより、タービンペデスタル上に、内側配置の仮設揚重機１６および外側配置の仮設屋根３０を設置して現地での工程調整及び作業調整により有効に活用することができる。
【００４０】
図９は、仮設揚重機１６の設置または撤去作業を説明する概略図である。図９に示すように、仮設揚重機１６はレール１５に着脱可能に搭載され、他の大型揚重機３３によりレール１５から一括取外し可能とされている。同様に、仮設屋根３０も、他の大型揚重機３３によりレール１５から一括取外し可能とされている。
【００４１】
このように、仮設揚重機１６を大型揚重機３３で容易に取外し可能な構成としたことにより、原子力発電プラントのタービン建屋１の建屋躯体工事の進捗に干渉することなく利用することができる。
【００４２】
なお、取外した仮設揚重機１６および仮設屋根３０は、屋外での配管地組作業、タービン建屋２階での組立となるタービン組立の際にも、別途レール部分を設定することによって利用することが可能となる。
【００４３】
次に、図１０を参照して以上の仮設揚重設備１１を適用して、ＳＣ構造のタービンペデスタル柱間の復水器エリア３に復水器５を設置し、高圧タービン下エリア４に配管７を導入して据付ける作業工程について説明する。図１０は、作業工程を示す工程図である。
【００４４】
この図１０に示すように、据付作業は大別して、（Ａ）タービンペデスタル柱２の組立及びコンクリート充填工程、（Ｂ）復水器エリア３への復水器搬入工程、（Ｃ）高圧タービン下エリア４への配管搬入工程、（Ｄ）タービンペデスタル上部梁部分の組立及びコンクリート充填工程、（Ｅ）復水器の内部構造物据付け及び高圧タービン下エリア配管据付工程に区分される。
【００４５】
以下、各工程（Ａ）〜（Ｅ）について順次に説明する。
【００４６】
（Ａ）タービンペデスタル柱２の組立及びコンクリート充填工程
（１）まず、タービン建屋マット１２のコンクリートが打設完了した段階で，タービンペデスタル柱２の組立を実施する。  
（２）タービンペデスタル柱２の組立に際しては、ボックス柱状のＳＣ鋼板２ｂをタービン建屋マット１２上に立設した後、コンクリート充填前に、各タービンペデスタル柱２の倒れ防止作業を行う。この作業では、図３〜図５に示したように、後にレール１５となる仮設梁を、タービンペデスタル柱２のＳＣ鋼板２ｂの表面に取付ける。即ち、この際に取付ける仮設梁は、レール兼用の部材である。また、その後の復水器等の搬入を考慮し、仮設梁の復水器エリア３及び高圧タービン下エリア４側に向く面と反対側の面、即ち、タービンペデスタル柱２外側のＳＣ鋼板２ｂの表面側に取付ける。  
なお、仮設梁は上述したように、復水器の据付け及びタービンペデスタル内の高圧タービン下の配管据付けも考慮して、復水器エリア３にあわせて高圧タービン下エリア４にも利用できる長さとしておく。  
（３）このように、タービンペデスタル柱２の外側のＳＣ鋼板２ｂ表面に取付けた仮設梁に、この仮設梁をレール１５として仮設揚重設備１１の揚重機部材１９を取付ける。この揚重機部材１９の取付により、仮設揚重設備１１として利用可能な状態までの組立を完了する。  
その後、上述したように復水器の搬入を行うため、例えば３基の復水器の各搬入手順について工程上の調整を行ない、仮設揚重機１６を復水器５の搬入に支障のない位置へ、水平方向で移動しておく。  
（４）タービンペデスタル柱２の設定が完了した段階で、タービンペデスタル柱２のＳＣ鋼板２Ｂの内部にコンクリート充填を実施する。  
（５）図４に示すように、復水器基礎１４の施工を実施する。
【００４７】
（Ｂ）復水器エリア３への復水器の搬入工程
（１）タービンペデスタル柱２の組立に伴い、また、復水器５の搬入に支障となる干渉物の撤去完了後、復水器の搬入を、大型揚重機にて実施する。  
復水器５については、復水器下部本体、復水器上部本体、復水器水室等の機器の構成毎に、順次に搬入し、組立を実施する。  
（２）その際、復水器の搬入に支障とならないように、仮設揚重設備１１の支持アーム１７及び揚重機部材１９を随時移動し、各復水器の付属機器の搬入を実施する。
【００４８】
（Ｃ）高圧タービン下エリア４への配管７の搬入工程
（１）復水器エリア３への復水器５の搬入後、大型揚重機により、高圧タービン下エリア４への配管７の搬入を搬入を実施する。  
（２）その後、随時タービンペデスタルとの施工調整により、可能な限り、本実施形態の仮設揚重機１６を用い、高圧タービン下エリア４での配管７の据付作業及び各復水器５の内部構造物等の据付を実施する。
【００４９】
（Ｄ）タービンペデスタル上部梁部分の組立及びコンクリート充填工程
復水器エリア３への復水器５の搬入、および高圧タービン下エリア４への配管７の搬入が完了した後、タービンペデスタル柱２の上部梁部分をタービンペデスタル柱２の上に搭載して据付を実施し、コンクリートを充填する。
【００５０】
（Ｅ）復水器５の内部構造物据付、高圧タービン下エリア４への配管の据付け工程
タービンペデスタル上部梁部分の搭載後、復水器上部本体の細かな内部構造物及びその他の据付作業に本実施形態の仮設揚重機１６を利用し、据付を実施する。また、高圧タービン下エリア４への配管７の導入についても、建屋外に設置されている大型揚重機で搬入を行うが、細かな配管、その他の配管据付作業に際し、仮設揚重機１６を占有して利用して、据付作業を実施する。
【００５１】
以上の作業工程が完了した後は、図９に示すように、本実施形態による仮設揚重機１６を撤去する。
【００５２】
本実施形態によれば、大型揚重機によるタービンペデスタル間への復水器搬入作業と、ＳＣ鋼板２Ｂ表面に取付けられた仮設揚重設備１１とが干渉することなく容易に行うことができ、また請負建設各社と共有される大型揚重機のほかに仮設揚重機１６を占有して用いることにより、復水器の搬入と同時に、配管の据付作業が決められた工期に遅延なく、また効率よく行え、配管の据付けおよび芯出し等を完了することができる。
【００５３】
また、本実施形態によれば、ＳＣ構造のタービンペデスタル柱２の鋼板表面に取付けた仮設梁を仮設揚重機用のレール１５と兼用する構成としたことにより、レール１５に多機能が与えられる。
【００５４】
また、本実施形態によれば、タービンペデスタル柱２における復水器エリア３又は高圧タービン下エリア４への対向面と反対側の外側面に配置されているので、配管搬入に支障なく、タービンペデスタル柱２の外側に取付けられる。
【００５５】
また、本実施形態によれば、ＳＣ構造のタービンペデスタル柱２の鋼板表面に取付けたレール１５に搭載される支持アーム１７の長さを自由に変えることができるので、揚重機可能スパンを自由に変更して、種々の作業に適用することができる。
【００５６】
また、本実施形態によれば、仮設揚重機１６の上方に、レール１５を支持部とする移動可能な仮設屋根３０を設けることにより、寒冷地での建設も実施され、寒冷地対策における雨水、雪等の対策ができ、コンクリート養生等を能率よく行うことができる。
【００５７】
また、本実施形態によれば、鋼板コンクリート構造のタービンペデスタル柱２の鋼板表面に取付けた仮設揚重機１６を大型揚重機にて一括して容易に取外すことができ、他のフロア等での利用及び屋外での利用等が可能となる。
【図面の簡単な説明】
【００５８】
【図１】本発明の一実施形態よる復水器及び配管施工用仮設揚重設備の建屋内配置の平面配置構成を示す全体図。
【図２】本発明の一実施形態よる復水器及び配管施工用仮設揚重設備の建屋内配置の側面配置構成を示す全体図（図１のＡ−Ａ線断面図）。
【図３】本発明の一実施形態よる仮設揚重設備の要部を拡大して示す図。
【図４】図３に示した仮設揚重設備の側面図（図３のＢ矢視分拡大図）。
【図５】図４のＣ矢視部分断面図。
【図６】図５に示した仮設揚重設備の揚重機設置状態を示す構成図。
【図７】図６に示した仮設揚重設備の作用説明図。
【図８】本発明の一実施形態による仮設屋根を設けた場合の構成説明図。
【図９】本発明の一実施形態による仮設揚重機の撤去時等における作業説明図。
【図１０】本発明の一実施形態による設備使用時の作業工程説明図。
【符号の説明】
【００５９】
１  タービン建屋
２  タービンペデスタル柱
２ａ  コンクリート躯体
２ｂ  ＳＣ鋼板
３  復水器エリア
４  高圧タービン下エリア
５  復水器
６  低圧タービン
７  配管
１１  仮設揚重設備
１２  タービン建屋マット
１３  中間梁
１４  復水器基礎
１５  レール
１６  仮設揚重機
１７  支持アーム
１８  走行部
１９  揚重機部材
２０  移動機構
２１  吊下げワイヤ
２２  フック
２３  水平梁
２４  レール本体
２５  固定部材
２６  脚部
２７  レール搭載部
２８  移動部
２９  長さ調整部
３０  仮設屋根
３１  脚部
３２  支持部
３３  大型揚重機
【図１】
2006308453.tif 000003
【図２】
2006308453.tif 000004
【図３】
2006308453.tif 000005
【図４】
2006308453.tif 000006
【図５】
2006308453.tif 000007
【図６】
2006308453.tif 000008
【図７】
2006308453.tif 000009
【図８】
2006308453.tif 000010
【図９】
2006308453.tif 000011
【図１０】
2006308453.tif 000012